(57)【特許請求の範囲】
【請求項１】
造営材に設けられる器具本体と、
前記器具本体に設けられ、前記造営材の面方向に対して垂直な方向に光を照射する第１光源部と、
前記器具本体に設けられ、前記造営材の面方向に対して平行な方向に光を照射する第２光源部と、
前記第１光源部を覆う透光性カバーと、を備え、
前記第２光源部は、発光する光の色温度が７０００Ｋ以上であるとともに、
前記第２光源部の光軸に対して前記第２光源部の発光点を起点として４５度以上の範囲を遮光する部材を有し、
前記部材は、前記透光性カバーの一部であり、かつ前記第１光源部の光の照射方向において前記器具本体の外側に張り出されている照明器具。
【請求項２】
請求項１に記載の照明器具において、
前記第１光源部および前記第２光源部は、互いに排他的に点灯する照明器具。
【請求項３】
請求項１に記載の照明器具において、
前記器具本体に収容され、商用電源が遮断された場合に前記第１光源部および前記第２光源部に電力を供給する蓄電部を有する照明器具。
【請求項４】
請求項１に記載の照明器具において、
前記器具本体に収容された蓄電部を有し、
商用電源が遮断された場合に、前記第２光源部のみが前記蓄電部により点灯する照明器具。
【請求項５】
請求項１ないし請求項４のうちのいずれか１項に記載の照明器具において、
前記第２光源部は、回路基板と、前記回路基板に実装された白色ＬＥＤパッケージおよび青色ＬＥＤパッケージを有する照明器具。
【発明の詳細な説明】
【技術分野】
【０００１】
本発明は、造営材に器具本体が設けられ、器具本体に光源部が設けられ、光源部で室内や通路を照らす照明器具に関する。
【背景技術】
【０００２】
照明器具のなかには、住宅のリビングや寝室、玄関などの天井に直接取り付けられ、主照明として部屋全体を明るく均一に照らす、いわゆるシーリングライトとして用いられ、器具本体に主光源と常夜灯（以下、保安灯という）とを備えたものが知られている。主光源は冷陰極管型蛍光灯が用いられ、保安灯は電球色が用いられる（特許文献１）。
【０００３】
ここで、従来の照明器具における保安灯は低照度の電球色としてオレンジ色の豆球もしくは電球色ＬＥＤ（Light-emitting Diode）が一般的に用いられる。保安灯の電球色は、慣例的に、通常２０００〜２７００Ｋ（ケルビン）程度の色温度が用いられる。
低照度とは、深夜、夜間などの時間帯において、安全な歩行を確保する照度をいう。低照度を確保する照明器具として保安灯が知られている。
【先行技術文献】
【特許文献】
【０００４】
【特許文献１】特開２００８−１０３３３号公報
【発明の概要】
【発明が解決しようとする課題】
【０００５】
ところで、保安灯に用いられる低照度の電球色は、コントラストが低く空間認識が抑制される。加えて、図３に示す視感度図のように、加齢にともない短波長域の視感度が減退するため、保安灯による空間認識がより黄ばんだものとなってしまう。
また、電球色ＬＥＤは青色光に青色光を波長変換した光を組み合わせて構成されているため、色温度が低いほど変換光の比率が増して効率が下がってしまう。このため、バッテリ（蓄電部）の駆動など電力に限りがある場合に、点灯時間の上で不利である。
また、乳白カバーを通しても保安灯の光源輝度は視界にはいるため、相対的に暗がりが見えにくくなる
【０００６】
本発明は、前述した課題を解決するためになされたものであり、その目的は、空間認識を好適に保ち、かつ、蓄電部駆動による長時間点灯を可能にする照明器具を提供することにある。
【課題を解決するための手段】
【０００８】
本発明の照明器具は、造営材に設けられる器具本体と、前記器具本体に設けられ、前記造営材の面方向に対して垂直な方向に光を照射する第１光源部と、前記器具本体に設けられ、前記造営材の面方向に対して平行な方向に光を照射する第２光源部と、前記第１光源部を覆う透光性カバーと、を備え、前記第２光源部は、発光する光の色温度が７０００Ｋ以上であるとともに、前記第２光源部の光軸に対して前記第２光源部の発光点を起点として４５度以上の範囲を遮光する部材を有し、前記部材は、前記透光性カバーの一部であり、かつ前記第１光源部の光の照射方向において前記器具本体の外側に張り出されている。
【発明の効果】
【０００９】
本発明の照明器具によれば、空間認識を好適に保ち、かつ、蓄電部駆動による長時間点灯を可能にする照明器具を提供できる。
【図面の簡単な説明】
【００１０】
【図１】本発明に係る第１実施形態の照明器具を示す断面図
【図２】本発明に係る第２実施形態の照明器具を示す断面図
【図３】視覚の分光視感度特性の加齢による変化を示す視感度図
【発明を実施するための形態】
【００１１】
以下、実施形態に係る照明器具について図面を参照して説明する。
（第１実施形態）
図１に示すように、照明器具１０は、造営材１１に設けられる器具本体１２と、器具本体１２に設けられた電源部１３と、器具本体１２に設けられた光源部１４と、光源部１４の光軸１６に対して直交する遮光板１７とを備えている。
【００１２】
また、照明器具１０は、光源部１４から発光された光を反射する反射板２１と、反射板２１の下方に設けられたつや消しパネル２３と、つや消しパネル２３の下方に設けられた補助反射板２４とを備えることが好ましい。
さらに、照明器具１０は、器具本体１２に補助電源として蓄電部（バッテリ）２６を備えることが好ましい。蓄電部２６を備えることにより、商用電源が遮断された場合に、蓄電部２６から光源部１４に電力を供給できる。
【００１３】
造営材１１は、例えば、住宅のリビングや寝室、玄関などの天井を形成する部材である。造営材１１に器具本体１２が設けられることにより照明器具１０がリビングや寝室、玄関などの保安灯として用いられる。
光源部１４は、一例として、発光する光の色温度が７０００Ｋ以上のＬＥＤが用いられる。色温度の上限は、１２０００Ｋとすることが好ましい。
【００１４】
光源部１４から発光された光は、反射板２１で集光されることにより光の輝度が増す。輝度が増した光が透明なつや消しパネル２３を経て補助反射板２４で集光され、集光された光が遮光板１７で反射される。
【００１５】
遮光板１７は、光源部１４の光軸１６に対して直交するように配置され、かつ、光源部１４の光軸１６に対して光源部１４の発光点１５を起点としてθ１度以下の範囲Ｈ１を遮光するように形成されている。θ１度は４５度以下である。
遮光板１７で反射された光２９（すなわち、遮光板１７で反射された光２９）が、器具本体１２および遮光板１７間の空間２８から外部に導かれ、器具本体１２が設置された造営材１１取り付け面を照らし、輝度が低く大面積の発光面をもつ擬似光源を形成し、室内を照明する。
【００１６】
遮光板１７を用いて光源部１４の発光する光を４５度以下の範囲Ｈ１で遮光することにより、光源部１４を視界に入り難くできる。よって、輝度の高い光源部１４によって輝度の低い箇所が相対的に目がくらんで暗く見えてしまう現象を抑えることができる。
これにより、空間認識を好適に保つことができ、例えば、夜間の保安灯としての役割を十分に果たすことができる。
【００１７】
また、輝度の高い光源部１４を視界に入り難くすることにより、覚醒効果を抑制でき、深夜のトイレなどで眠気を妨害しないようにできる。
さらに、光源部１４の色温度を７０００Ｋ以上とすることにより、高波長域の光が発光される。これにより、加齢にともなう視感度の減退を抑えることができる。
加えて、光源部１４の色温度を７０００Ｋ以上とすることにより、光源部１４から見えやすい光を少ない電力で効率よく発光できる。
【００１８】
光源部１４から少ない電力で光を発光することにより、商用電源が遮断された場合に、蓄電部２６の駆動による長時間点灯を可能にできる。
なお、第１実施形態の照明器具１０では、補助電源として蓄電部２６を備えた例について説明したが、蓄電部２６を備えないことも可能である。この場合でも、光源部１４から見えやすい光を少ない電力で効率よく発光することにより省エネルギー化が図れる。
【００１９】
以上説明したように、照明器具１０は、造営材１１に固定される器具本体１２と、器具本体１２に収容される電源部１３と、器具本体１２に収容される光源部１４と、光源部１４の光軸１６に対して直交する遮光板１７と、を備えている。光源部１４は、発光する光の色温度が７０００Ｋ以上である。また、遮光板１７は、光源部１４の光軸１６に対して光源部１４の発光点１５を起点として４５度以下の範囲を遮光するように配置されている。
【００２０】
次に、第２実施形態を図２に基づいて説明する。
（第２実施形態）
図２に示すように、照明器具３０は、造営材３１に設けられる器具本体３２と、器具本体３２に設けられる電源部３３と、器具本体３２に設けられる第１光源部３４および第２光源部３６と、第１光源部３４を覆う透光性カバー４１とを備えている。
第１光源部３４および第２光源部３６は、互いに排他的に点灯する光源とすることが好ましい。
さらに、照明器具３０は、器具本体１２に補助電源として蓄電部（バッテリ）４５を備えることが好ましい。蓄電部２６を備えることにより、商用電源が遮断された場合に、蓄電部４５から第１光源部３４および第２光源部３６に電力を供給できる。
【００２１】
造営材３１は、例えば、住宅のリビングや寝室、玄関などの天井を形成する部材である。造営材３１に照明器具３０の器具本体３２がアダプタ４７で固定される。すなわち、照明器具３０は、リビングや寝室、玄関などの天井に取り付けられる、いわゆるシーリングライトである。
【００２２】
第１光源部３４は、第１光源部３４のＬＥＤ回路基板３５に設けられ、造営材３１の面方向（矢印Ａ方向）に対して垂直な方向、すなわち床面に向かって垂直な方向に光を照射する主光源である。第１光源部３４は、一例として、発光する光の色温度が２７００〜６５００ＫのＬＥＤが用いられる。
なお、ここでいう垂直とは、取付面である例えば造営材３１（天井又は壁）とは反対側の方向を示す。
第１光源部３４が透光性カバー４１で覆われている。透光性カバー４１は、器具本体３２に取り付けられるカバー枠部４２と、カバー枠部４２に取り付けられる乳白セード４３とを備えている。第１光源部３４から発光された光が乳白セード４３を経てリビングや寝室、玄関などを照らす。
【００２３】
第２光源部３６は、器具本体３２に収容される回路基板３７と、回路基板３７に実装された白色ＬＥＤパッケージ３８および青色ＬＥＤパッケージ３９を有し、副光源として用いられる。白色ＬＥＤパッケージ３８の白色光および青色ＬＥＤパッケージ３９の青色光が組み合わされて第２光源部３６から発光される。
【００２４】
第２光源部３６の発光する光は色温度が７０００Ｋ以上に確保される。第２光源部３６に白色ＬＥＤパッケージ３８および青色ＬＥＤパッケージ３９を備えることにより、比較的高価な色温度７０００Ｋ専用のＬＥＤを第２光源部３６に備える必要がない。これにより、第２光源部３６から７０００Ｋ以上の色温度の光を容易に発光させることができる。
なお、第２光源部３６としては、７０００Ｋ以上の色温度が確保できるものであれば一種類のＬＥＤパッケージで構成してもよい。
【００２５】
第２光源部３６が透明カバー４８で覆われている。第２光源部３６から発光された光は透光性カバー４１の一部であるカバー枠部４２で遮光される。具体的には、カバー枠部４２が第２光源部３６の下方において器具本体１２の外側に張り出されている。
よって、第２光源部３６から発光された光は、第２光源部３６の光軸５１に対して第２光源部３６の発光点３６Ａを起点としてθ２度以上の範囲Ｈ２が遮光される。θ２度は４５度以上である。これにより、第２光源部３６から発光された光５２は、範囲Ｈ２を除いた空間５３からリビングや寝室、玄関などを照射する。
【００２６】
第２光源部３６の発光する光をカバー枠部４２で遮光することにより、第２光源部３６を視界に入り難くできる。よって、輝度の高い第２光源部３６によって輝度の低い箇所が相対的に目がくらんで暗く見えてしまう現象を抑えることができる。
これにより、空間認識を好適に保つことができ、例えば、夜間の保安灯としての役割を十分に果たすことができる。
【００２７】
特に、第１光源部３４および第２光源部３６は互いに排他的に点灯される。よって、第１光源部３４、第２光源部３６は各々独立して点灯される。これにより、第２光源部３６を保安灯として用いた場合、第２光源部３６の光による空間認識を好適に保つことができ、保安灯としての役割を十分に果たすことができる。
【００２８】
また、輝度の高い第２光源部３６を視界に入り難くすることにより、覚醒効果を抑制でき、深夜のトイレなどで眠気を妨害しないようにできる。
さらに、第２光源部３６の色温度を７０００Ｋ以上とすることにより、高波長域の光が発光される。これにより、加齢にともなう視感度の減退を抑えることができる。
加えて、第２光源部３６の色温度を７０００Ｋ以上とすることにより、第２光源部３６から見えやすい光を少ない電力で効率よく発光できる。
【００２９】
第２光源部３６から少ない電力で光を発光することにより、商用電源が遮断された場合に、蓄電部４５の駆動により第１光源部３４および第２光源部３６に電力を供給できる。
これにより、蓄電部４５の駆動により第１光源部３４および第２光源部３６の長時間点灯を可能にできる。
【００３０】
以上説明したように、照明器具３０は、造営材３１に設けられる器具本体３２と、器具本体３２に設けられる電源部３３と、器具本体３２に設けられ、造営材３１の面方向に対して室内空間である略垂直な方向に光を照射するように、垂直な方向に光軸を向けて設けられた第１光源部３４とを備えている。また、照明器具３０は、器具本体３２に収容され、造営材３１の面方向に対して平行な方向に光を照射する第２光源部３６と、第１光源部を覆う透光性カバー４１とを備えている。
なお、ここで示す平行とは、取付面である例えば造営材３１（天井又は壁）の面方向である横方向に照射することを示す。したがって、光軸を傾斜させ天井・壁等に光を反射させるようにして横方向に光を照射するように設けてもよい。
第２光源部３６は、発光する光の色温度が７０００Ｋ以上である。また、照明器具３０は、第２光源部３６の光軸５１に対して第２光源部３６の発光点３６Ａを起点として４５度以上の範囲Ｈ２を遮光する部材として透光性カバー４１を用いる。
【００３１】
また、好ましくは、照明器具３０は、第１光源部３４および第２光源部３６は、互いに排他的に点灯する。
さらに、好ましくは、照明器具３０は、器具本体３２に収容され、商用電源が遮断された場合に第１光源部３４および第２光源部３６に電力を供給する。
また、好ましくは、照明器具３０は、第２光源部３６は、回路基板７と、回路基板３７に実装された白色ＬＥＤパッケージ３８および青色ＬＥＤパッケージ３９を有する。
【００３２】
（変形例）
第２実施形態の照明器具３０では、商用電源が遮断された場合に、第１光源部３４および第２光源部３６の両方を蓄電部で点灯する例について説明したが、これに限らないで、第２光源部３６のみを蓄電部４５で点灯させることも可能である。
第２光源部３６のみを蓄電部４５で点灯させることにより、蓄電部４５による一層の長時間点灯を可能にできる。
【００３３】
すなわち、照明器具３０の変形例は、器具本体３２に収容された蓄電部４５を有し、商用電源が遮断された場合に、第２光源部３６のみが蓄電部４５により点灯する。
【００３４】
なお、本発明の照明器具は、前述した実施形態に限定されるものではなく適宜変更、改良等が可能である。
例えば、前記第１実施形態および第２実施形態で使用した照明器具、造営材、器具本体、電源部、光源部、遮光板、第１光源部、第２光源部、第２光源部の回路基板、白色ＬＥＤパッケージ、青色ＬＥＤパッケージ、透光性カバーおよび蓄電部等の形状や構成は例示したものに限定するものではなく適宜変更が可能である。
【符号の説明】
【００３５】
１０、３０  照明器具
１１、３１  造営材
１２、３２  器具本体
１３、３３  電源部
１４  光源部
１５、３６Ａ  発光点
１６、５１  光軸
１７  遮光板
３４  第１光源部
３６  第２光源部
３７  第２光源部の回路基板
３８  白色ＬＥＤパッケージ
３９  青色ＬＥＤパッケージ
４１  透光性カバー
４５  蓄電部
Ｈ１  ４５度以下の範囲
Ｈ２  ４５度以上の範囲
【図１】
0006327611.tif 000002
【図２】
0006327611.tif 000003
【図３】
0006327611.tif 000004